(57)【特許請求の範囲】
【請求項１】
原稿台ガラス上に載置される原稿のサイズを検知する原稿サイズ検知装置であって、
前記原稿台ガラスの下方に所定の位置関係で配設された、光源となる発光素子及び受光素子のセットで構成され、該光源からの反射光を該受光素子で受光し、前記原稿台ガラス上の対応する位置での原稿の有無を、前記反射光の受光レベルと所定のしきい値との比較に基づき検知する複数の反射型光センサと、
該複数の反射型光センサのそれぞれについての発光レベルを調整する調整部と、
前記原稿台ガラスを覆って原稿を押さえるための原稿押さえ白板と該原稿台ガラスとの角度に対する、原稿無しの状態での前記反射光の受光レベルの初期値を、複数の角度について前記反射型光センサ毎に記憶した初期値記憶部とを備え、
前記調整部は、前記原稿押さえ白板の開動作及び／又は閉動作時に、前記原稿押さえ白板と前記原稿台ガラスとの角度毎に前記反射型光センサで検知された前記反射光の受光レベルが示す関数が、前記初期値記憶部に記憶された角度対初期値が示す関数と線形関係にある条件を満たした場合にのみ、前記反射型光センサの発光レベルの調整を実行し、前記条件を満たさない場合には前記反射型光センサの発光レベルの調整を実行しないことを特徴とする原稿サイズ検知装置。
【請求項２】
前記調整部は、前記原稿押さえ白板の開動作及び／又は閉動作時に、前記複数の反射型光センサのうち、前記条件を満たす反射型光センサについてのみ発光レベルの調整を実行し、前記条件を満たさない反射型光センサについては発光レベルの調整を実行しないことを特徴とする請求項１に記載の原稿サイズ検知装置。
【請求項３】
前記調整部は、前記原稿押さえ白板と前記原稿台ガラスとの角度が所定角度のときに検知された前記反射光の受光レベルが、前記所定角度に対する前記初期値と一致するように、前記反射型光センサの発光レベルを調整することを特徴とする請求項１又は２に記載の原稿サイズ検知装置。
【請求項４】
前記調整部は、前記原稿押さえ白板と前記原稿台ガラスとの角度が複数の所定角度のときに検知された前記反射光の受光レベルと、該複数の所定角度のそれぞれに対する前記初期値との差の二乗和が最小になるように、前記反射型光センサの発光レベルを調整することを特徴とする請求項１又は２に記載の原稿サイズ検知装置。
【請求項５】
前記調整部は、前記原稿押さえ白板と前記原稿台ガラスとの角度が４５度以下の場合についての検知結果のみに基づいて、前記反射型光センサの発光レベルを調整することを特徴とする請求項１〜４のいずれか１項に記載の原稿サイズ検知装置。
【請求項６】
前記調整部は、前記原稿押さえ白板と前記原稿台ガラスとの角度が４５度以下の場合についての検知結果のみに基づいて、前記線形関係にあるか否かの判定を行うことを特徴とする請求項１〜５のいずれか１項に記載の原稿サイズ検知装置。
【請求項７】
前記調整部は、前記初期値の記憶時から、若しくは前記初期値の記憶後に前記原稿サイズ検知装置の電源を投入した時から、所定期間経過後に、前記線形関係にあるか否かの判定を行うことを特徴とする請求項１〜６のいずれか１項に記載の原稿サイズ検知装置。
【請求項８】
前記調整部は、所定のユーザ操作を受け付けたときに、前記線形関係にあるか否かの判定を行うことを特徴とする請求項１〜６のいずれか１項に記載の原稿サイズ検知装置。
【請求項９】
請求項１〜８のいずれか１項に記載の原稿サイズ検知装置を備えた原稿読取装置。
【請求項１０】
請求項９に記載の原稿読取装置を備えた画像形成装置。
【発明の詳細な説明】
【技術分野】
【０００１】
本発明は、原稿サイズ検知装置、原稿読取装置、及び画像形成装置に関し、より詳細には、原稿サイズを反射型の光センサで検知する原稿サイズ検知装置、その装置を備えた原稿読取装置、及びその原稿読取装置を備えた画像形成装置に関する。
【背景技術】
【０００２】
従来から、原稿を光学的に読み取り画像データとする原稿読取装置（スキャナ装置）が、単独の装置として、また複写機などの画像形成装置に搭載され、流通している。この画像データに対しては、印刷やファイル保存などの処理が施されることとなる。
【０００３】
このような原稿読取装置では、原稿台に手作業で載置された原稿、或いはＡＤＦ（原稿自動送り装置）で送られ載置された原稿に対し、そのサイズを判定する必要が生じる場面が多々ある。そのため、原稿読取装置には、原稿サイズ検知装置が搭載されている。
【０００４】
この原稿サイズ検知装置は、複数の反射型光センサが原稿台ガラスの下方に所定の位置関係で配設され、各配設位置での原稿台ガラス上の原稿の有無を検知する。所定の位置関係は、原稿のサイズとして一般的に存在するＡ４，Ｂ４，Ａ５，Ｂ５等の規定サイズの有無が判定できるような関係を指し、各反射型光センサの出力結果の組み合わせによって原稿サイズが判定できる。
【０００５】
反射型光センサは、光源となる発光素子と受光素子（受光センサ）がセットで構成されており、光源からの反射光を受光センサで受光し、その検知光量がしきい値以上（或いはしきい値を超える）の場合には原稿有り、しきい値未満（或いはしきい値以下）の場合に原稿無しとして検知を行う。ここで用いられるしきい値は、装置製造時に調整した後は固定されている。
【０００６】
一方で、特許文献１には、しきい値を経年劣化とともに自動で低下させる方式を採用した原稿サイズ検知装置が開示されている。図８は、この原稿サイズ検知装置で実行される原稿サイズ検知処理に含まれる、各反射型光センサでの原稿有無検知処理を説明するための図である。
【０００７】
まず、原稿サイズ検知装置の初期設定時（通常、出荷時又は設置時となる）には、図８の左側にて初期出力関係として例示するように、反射型光センサが次の（I）〜（III）の設定になっているものとする。ここで、（I）黒色の原稿有り時の出力電圧は１．３Ｖ、（II）原稿無し時の出力電圧は０Ｖ、（III）上記I、IIの間であり、原稿有りを検知するしきい値（スレッシュレベル）の電圧は０．８Ｖ、とする。なお、白色の原稿有り時の出力電圧は１．３Ｖより高くなる。しきい値の調整を行わない場合、数年後には、主に反射型光センサの発光素子の光量が経年変化で減少するため（但し個体差はある）、黒色原稿有りの場合でも受光素子では例えば０．７Ｖしか検出できなくなる。このとき、調整無しではしきい値は０．８Ｖであるので、どのような原稿が載置されていても「原稿無し」として誤検知されてしまう。
【０００８】
このような誤検知を未然に防止するために、しきい値自動調整を実行する。このしきい値自動調整は、原稿押さえ白板（ＯＣマットで例示）と原稿台ガラスとの角度が所定角度のときに、ＯＣマットを用いて、複数のしきい値のうち一部又は全部に対して実行される。図８の例では、調整時にＯＣマットからの反射値（反射光による受光レベル）が０．３５Ｖの電圧（初期設定時の０．５Ｖの−３０％）で出力された場合には、０．８Ｖ×７０％＝０．５６Ｖをしきい値の電圧レベルとして設定するよう調整している。
【０００９】
また、特許文献２には、ＯＣマットの角度に応じて、反射型光センサにおける発光側素子の光量を補正することが開示されている。
【先行技術文献】
【特許文献】
【００１０】
【特許文献１】特開２００８−１０７６１０号公報
【特許文献２】特開２０１０−１３０６３１号公報
【発明の概要】
【発明が解決しようとする課題】
【００１１】
しかしながら、特許文献１に記載の原稿サイズ検知装置では、次のような誤検知が起こり得る。第一に、光学的濃度（ＯＤ：Optical Density）値の高い黒原稿が置かれた場合には、しきい値を下げる補正がかかってしまい、その結果、原稿台ガラスに対してＯＣマットが原稿サイズを確定させる角度（原稿サイズを検知する角度）になった時、ＯＣマットを原稿と誤って検知してしまう可能性がある。
【００１２】
第二に、ＡＢ系、Ｉｎｃｈ系など複数の原稿サイズを、限られた数の光センサで識別しなければならない仕様では、検知してはいけないサイズの原稿端を検知してしまい、しきい値を下げる補正がかかってしまう。その結果、ＯＣマットが原稿サイズを確定させる角度になった時、ＯＣマットを原稿と誤って検知してしまう可能性がある。
【００１３】
第三に、発光素子を含む光センサの経年劣化とともにしきい値を低下させるので、調整後のしきい値は外乱光に対するマージンが無い値になってしまうことがある。
【００１４】
また、特許文献２には、ＯＣマットの角度に応じて発光素子の光量を補正することが開示されているが、発光素子の劣化による光量補正については開示されていない。
【００１５】
本発明は、上述のような実状に鑑みてなされたものであり、その目的は、反射型光センサの経年変化により生じ得る、原稿が有っても反射型光センサで検知できないといった誤作動や外乱光や原稿押さえ白板を原稿と誤って検知してしまうといった誤作動を防ぐことが可能な原稿サイズ検知装置、その装置を備えた原稿読取装置、及びその原稿読取装置を備えた画像形成装置を提供することにある。
【課題を解決するための手段】
【００１６】
上記の課題を解決するために、本発明の第１の技術手段は、原稿台ガラス上に載置される原稿のサイズを検知する原稿サイズ検知装置であって、前記原稿台ガラスの下方に所定の位置関係で配設された、光源となる発光素子及び受光素子のセットで構成され、該光源からの反射光を該受光素子で受光し、前記原稿台ガラス上の対応する位置での原稿の有無を、前記反射光の受光レベルと所定のしきい値との比較に基づき検知する複数の反射型光センサと、該複数の反射型光センサのそれぞれについての発光レベルを調整する調整部と、前記原稿台ガラスを覆って原稿を押さえるための原稿押さえ白板と該原稿台ガラスとの角度に対する、原稿無しの状態での前記反射光の受光レベルの初期値を、複数の角度について前記反射型光センサ毎に記憶した初期値記憶部とを備え、前記調整部は、前記原稿押さえ白板の開動作及び／又は閉動作時に、前記原稿押さえ白板と前記原稿台ガラスとの角度毎に前記反射型光センサで検知された前記反射光の受光レベルが示す関数が、前記初期値記憶部に記憶された角度対初期値が示す関数と線形関係にある条件を満たした場合にのみ、前記反射型光センサの発光レベルの調整を実行し、前記条件を満たさない場合には前記反射型光センサの発光レベルの調整を実行しないことを特徴としたものである。
【００１７】
第２の技術手段は、第１の技術手段において、前記調整部は、前記原稿押さえ白板の開動作及び／又は閉動作時に、前記複数の反射型光センサのうち、前記条件を満たす反射型光センサについてのみ発光レベルの調整を実行し、前記条件を満たさない反射型光センサについては発光レベルの調整を実行しないことを特徴としたものである。
第３の技術手段は、第１又は第２の技術手段において、前記調整部は、前記原稿押さえ白板と前記原稿台ガラスとの角度が所定角度のときに検知された前記反射光の受光レベルが、前記所定角度に対する前記初期値と一致するように、前記反射型光センサの発光レベルを調整することを特徴としたものである。
【００１８】
第４の技術手段は、第１又は第２の技術手段において、前記調整部は、前記原稿押さえ白板と前記原稿台ガラスとの角度が複数の所定角度のときに検知された前記反射光の受光レベルと、該複数の所定角度のそれぞれに対する前記初期値との差の二乗和が最小になるように、前記反射型光センサの発光レベルを調整することを特徴としたものである。
【００１９】
第５の技術手段は、第１〜第４のいずれか１の技術手段において、前記調整部は、前記原稿押さえ白板と前記原稿台ガラスとの角度が４５度以下の場合についての検知結果のみに基づいて、前記反射型光センサの発光レベルを調整することを特徴としたものである。
【００２０】
第６の技術手段は、第１〜第５のいずれか１の技術手段において、前記調整部は、前記原稿押さえ白板と前記原稿台ガラスとの角度が４５度以下の場合についての検知結果のみに基づいて、前記線形関係にあるか否かの判定を行うことを特徴としたものである。
【００２１】
第７の技術手段は、第１〜第６のいずれか１の技術手段において、前記調整部は、前記初期値の記憶時から、若しくは前記初期値の記憶後に前記原稿サイズ検知装置の電源を投入した時から、所定期間経過後に、前記線形関係にあるか否かの判定を行うことを特徴としたものである。
【００２２】
第８の技術手段は、第１〜第６のいずれか１の技術手段において、前記調整部は、所定のユーザ操作を受け付けたときに、前記線形関係にあるか否かの判定を行うことを特徴としたものである。
【００２３】
第９の技術手段は、第１〜第８のいずれかの技術手段における原稿サイズ検知装置を備えた原稿読取装置である。
第１０の技術手段は、第９の技術手段における原稿読取装置を備えた画像形成装置である。
【発明の効果】
【００２４】
本発明によれば、原稿サイズ検知装置において、反射型光センサの経年変化により生じ得る、原稿が有っても反射型光センサで検知できないといった誤作動や外乱光や原稿押さえ白板を原稿と誤って検知してしまうといった誤作動を防ぐことが可能となる。
【図面の簡単な説明】
【００２５】
【図１】本発明の一実施形態に係る原稿サイズ検知装置を具備した原稿読取装置の構成例を説明するための図である。
【図２】本発明の原稿サイズ検知装置に適用される角度検出手段の他の構成例を説明するための図である。
【図３】本発明に係る原稿サイズ検知装置の主要部の回路構成例を示すブロック図である。
【図４】本発明に係る原稿サイズ検知装置における発光レベル調整処理の一例を説明するためのフロー図である。
【図５】本発明に係る原稿サイズ検知装置における、原稿カバーの角度に対する光センサの出力の例を示す図である。
【図６】本発明の原稿読取装置における光センサの他の配置例を示す上面図である。
【図７】本発明に係る原稿読取装置を組み込んだ画像形成装置の構成例を示す断面図である。
【図８】従来技術に記載の原稿サイズ検知装置で実行される原稿サイズ検知処理に含まれる、各光センサでの原稿有無検知処理を説明するための図である。
【発明を実施するための形態】
【００２６】
本発明に係る原稿サイズ検知装置は、手作業で或いは原稿自動搬送装置で搬送されることで原稿台ガラス上に載置される原稿のサイズを検知する装置であり、複数の反射型光センサ（以下、単に光センサという）を備える。この原稿サイズ検知装置は、一般的に、原稿を光学的に読み取り画像データを出力する原稿読取装置（スキャナ装置）に具備される。そして、原稿読取装置において、原稿を読み取る範囲を限定するために、或いは原稿を読み取った後の変倍処理等の処理に用いるために、各光センサの出力結果の組み合わせによって原稿サイズを判定する。このように、本発明は、原稿サイズ検知装置を搭載した原稿読取装置としての形態も採り得、また原稿読取装置を搭載した複合機や単なるコピー機やファクシミリ装置などの画像形成装置としての形態も採り得る。
【００２７】
図１は、本発明の一実施形態に係る原稿サイズ検知装置を具備した原稿読取装置の構成例を説明するための図である。
図１で例示する原稿読取装置１は、その筐体１０の上面に原稿台ガラス１１が設けられ、内部には図示しないスキャナユニットが設けられており、原稿台ガラス１１に載置された原稿Ｐの画像を読み取ることが可能になっている。
【００２８】
また、筐体１０には、原稿押さえ白板（以下、ＯＣマット１４で例示）が原稿台ガラス１１側に付加された原稿カバー１３が、開閉可能に設けられている。原稿カバー１３は、原稿を載せるときにリア側を支点に上下に開閉させる蓋状のものである。原稿押さえ白板としては、原稿台ガラス１１を覆って原稿Ｐを押さえるための白いシートなど白い板状のものであればよく、ＯＣマット１４に限ったものではない。原稿Ｐは薄い用紙に限らず本などの厚い被読取媒体であることもあり、ＯＣマット１４は、原稿Ｐを押さえたときに原稿Ｐを保護する役目をする。
【００２９】
原稿読取装置１では、原稿Ｐが原稿台ガラス１１上に載置され、一般的に原稿カバー１３が閉じられた状態で画像読取処理が実行されるが、原稿カバー１３が開けられたままの状態（図１で図示した状態）での画像読取処理も可能である。
【００３０】
また、筐体１０の内部には原稿カバー閉状態検出用のスイッチ１５が設けられ、原稿カバー１３の閉状態又は開状態が検出可能となっている。スイッチ１５で、閉状態から開状態を経て閉状態に戻ったことを検出することにより原稿サイズ検知装置を稼動させるような制御も行うことができる。スイッチ１５は、図１で示す配置に限らず、閉状態又は開状態で原稿カバー１３によりオン、開状態又は閉状態でオフされるような位置に設けておけばよく、また受光センサで構成してもよい。
【００３１】
そして、本発明に係る原稿読取装置１は、筐体１０内部などに原稿サイズ検知装置が設けられる。この原稿サイズ検知装置は、複数の光センサ（ここでは３つの光センサ１２ａ〜１２ｃで例示）が、原稿台ガラス１１の下方に所定の位置関係で配設されるとともに、サイズ判定部１７ａを有する制御部１７を備える。
【００３２】
制御部１７は、原稿サイズ検知装置の主制御部、すなわち原稿読取装置の主制御部又は副制御部に相当し、例えばマイクロコンピュータ等で構成できる。より具体的には、制御部１７は、例えば原稿サイズ検知装置の全体若しくは原稿読取装置１の全体を制御するための制御プログラムや各種データを格納したＲＯＭやＥＥＰＲＯＭ（登録商標）、その制御プログラムを実行するためのＣＰＵ、並びに、その実行領域となるＲＡＭなどによって構成することができる。上記各種データとしては、原稿サイズ判定に用いる後述する所定のしきい値を含んだパラメータの他に、後述する線形関係の判定のためのパラメータや調整のためのパラメータも含まれる。
【００３３】
各光センサ１２ａ〜１２ｃは、ＬＥＤ等の発光素子及びフォトトランジスタ等の受光素子でなる原稿有無検知用の光センサである。各光センサ１２ａ〜１２ｃは、それぞれ、原稿台ガラス１１上の対応する位置での原稿の有無を、反射光の受光レベルと予め定められたしきい値の比較に基づいて検知する。ここで、これらの複数の所定のしきい値（この例では合計３つのしきい値）は固定値とする。
【００３４】
サイズ判定部１７ａは、各光センサ１２ａ〜１２ｃの出力結果の組み合わせによって、原稿を検知するとともに、その原稿のサイズの判定を行う。そのため、サイズ判定部１７ａは原稿サイズ検知部とも言える。この判定条件は、上述の所定の位置関係に依存する。なお、各光センサ１２ａ〜１２ｃは、移動可能に配設されてもよく、少なくともサイズ検知時に上述した所定の位置関係になればよい。
【００３５】
図１の例では、原稿台ガラス１１上に載置された原稿Ｐが、光センサ１２ａ，１２ｂの発光素子からの光を反射し、その反射光は各々の受光素子で受光され、サイズ判定部１７ａでしきい値以上の受光レベルであることが検出され、原稿有りとの検知結果を出力する。一方で、光センサ１２ｃの発光素子からの光は原稿台ガラス１１を通過し、喩えいずれかで反射した場合でも（その他の外光を含んだ場合でも）、受光素子で検出される光量は少なく、しきい値未満となり、原稿無しとの検知結果を出力する。
【００３６】
これらの検知結果により、原稿Ｐが、原稿台ガラス１１の端部から光センサ１２ｂまでの距離と同端部から光センサ１２ｃまでの距離との間の距離をもつサイズであると判定できる。図１では、光センサ１２ａが横置きＢ５（すなわちＢ５Ｒ）以上で原稿検知でき、光センサ１２ｂが横置きＡ４（すなわちＡ４Ｒ）以上で原稿検知でき、光センサ１２ｃが横置きＢ４以上で原稿検知できるように、それぞれ配設されているとする。その場合、上述の例では、原稿ＰがＡ４サイズであると判定できる。
【００３７】
また、本発明に係る原稿サイズ検知装置は、後述するようにＯＣマット１４と原稿台ガラス１１との角度を測定する必要があるため、角度検出部を備える。この角度検出部は、原稿カバー閉状態検出用のスイッチ１５と角度検出センサ１６とで構成する。スイッチ１５によって閉状態を検出している間は、角度検出センサ１６を稼動しないようにし、検出していない間、すなわち開状態である場合にのみ角度検出センサ１６を稼動するようにする。このような制御は、制御部１７が行えばよい。
【００３８】
角度検出センサ１６は、例えば、原稿カバー１３の支軸の側端部に特定角度間隔で設置した複数の受光素子で構成することができる。これにより、原稿カバー１３によって遮光された受光素子の位置から角度を検知することができる。また、原稿カバーの角度検出には、原稿カバー１３側に取り付けたジャイロセンサなどを用いることもできる。
【００３９】
図２を参照して、図１の原稿読取装置１における角度検出センサ１６の代わりに具備可能な角度検出センサの構成例を説明する。図２で例示するように、ＯＣマット１４の角度を検出する角度検出センサとしては、原稿カバー１３の回動角度に応じて抵抗値が変化する可変抵抗器を用いる。本例の角度検出センサは、原稿カバー１３の支軸１９の側端部に設けられる。ここでは直流電源１６ｂに接続された抵抗１６ａが支軸１９の周囲を周回するように配置される。また、抵抗１６ａに接触する可動片１６ｃが原稿カバー１３と一体的に回動し、上記可変抵抗器が構成される。
【００４０】
抵抗１６ａと可動片１６ｃとは制御部１７に接続される。ここでは可動片１６ｃの位置を固定とし、抵抗１６ａが原稿カバー１３と一体的に回動するようにしてもよい。そして原稿カバー１３を開閉すると、抵抗１６ａに接触する可動片１６ｃの位置がスライドして抵抗値が変化し、このときの電圧値を制御部１７で検出する。制御部１７では、電圧値に応じてＯＣマット１４の角度を算出できるように、予め電圧値と上記角度との関係を記憶装置に記憶しておく。この記憶装置は後述の初期値記憶部１８として使用する記憶装置でもよい。
【００４１】
そして、本発明に係る原稿サイズ検知装置は、その主たる特徴として、調整部１７ｂ及び初期値記憶部１８を備える。
【００４２】
調整部１７ｂは、複数の光センサ１２ａ〜１２ｃのそれぞれについての発光レベル、つまりそれぞれの発光素子の発光レベルを調整する。光センサ１２ａ〜１２ｃは、所定の発光レベル（発光輝度レベル）で発光素子から発光した光に対して受光素子で反射光を受光するものであるが、この所定の発光レベルが実際には経年変化により落ち、所定の発光レベルで発光しようとしてもそれに満たない発光レベルでしか発光できなくなってしまい、同一条件下でも受光レベルが落ちてしまう。調整部１７ｂはその調整を行うものである。調整部１７ｂは、図１で例示するように制御部１７に設けること、すなわち調整プログラムとして組み込むことができる。
【００４３】
初期値記憶部１８は、ＯＣマット１４と原稿台ガラス１１との角度に対する、原稿無しの状態での反射光の受光レベルの初期値を、複数の角度（開閉角度）について光センサ１２ａ〜１２ｃ毎に記憶した記憶装置である。ここで、初期値としては、原稿無しの状態で測定した値でもよいが、同機種による規定値でもよい。なお、初期値は基本的に光センサの配設位置によって変わるため、光センサによって異なっている。また、各光センサ１２ａ〜１２ｃの初期値は、原稿読取装置１の設置場所によっても変わるため、設置場所を変える度に測定して、更新してもよい。
【００４４】
本発明における調整部１７ｂは、上述のように発光レベルの調整を実行するが、無条件で実行する訳ではなく、複数の光センサ１２ａ〜１２ｃの出力値と角度検出部による検出角度から各光センサ１２ａ〜１２ｃの原稿無しの状態を判別し、少なくとも、原稿無しとの判定がなされた状態で調整を実行する。そして、調整部１７ｂは、原稿無し状態であるか否かの判定を上記初期値との比較により実行する。
【００４５】
より具体的には、調整部１７ｂは、ＯＣマット１４の開動作又は閉動作時に光センサ１２ａで反射光の受光レベルを各角度で検知させ、検知された角度毎の反射光の受光レベルが示す関数が、初期値記憶部１８に記憶された角度毎の初期値が示す関数（角度対初期値が示す関数）と線形関係にある場合にのみ、その光センサ１２ａの発光レベルの調整を実行する。換言すると、調整部１７ｂは、各角度における「初期値記憶部１８に記憶された初期値」から「検知された反射光の受光レベル」への写像が線形写像にあるか否かを判定し、（誤差も考慮して）線形写像にあると言える場合にのみ、その光センサ１２ａの発光レベルの調整を実行する。
【００４６】
発光レベルの調整について簡単に説明すると、調整は、ＯＣマット１４を利用して、つまり原稿カバー１３の開閉動作での反射光を利用して実行される。さらに、発光レベルの調整は、上記線形関係を保って（原稿無しの状態が確実な段階で）実行するために、初期値と上記線形関係を満たすと判定された反射光の受光レベルに基づき実行する。このように、上記線形関係を満たすことが検知された受光レベルのうち、ＯＣマット１４を利用して反射光を得ることができる角度の受光レベルに基づき、調整が実行される。どのように調整するかに関し、主に、同一条件下での受光レベルを経年劣化によらず保つ（経年劣化する前後で保つ）ように発光レベルを調整すれば、上記所定のしきい値を変えずとも同様の原稿サイズ判定ができる。
【００４７】
ここで、開動作や閉動作は、スイッチ１５の閉動作検出結果に基づき判定すればよい。また、上記判定は、開動作及び閉動作を一連の動作として行ったときに、双方の動作時の検知結果に基づき実行してもよい。また、検知させる角度はそのピッチを予め定めておいてもよいし、同ピッチに限らず予め定めた複数の角度で検知させるようにしてもよい。また、判定時に受光レベルを検知させる角度は、初期値記憶部１８で初期値が記憶されている角度と同じでもよいが、異なってもよく、少なくとも関数として線形関係の有無が判定できればよい。
【００４８】
線形関係にある場合とは、Ｘθを原稿カバーの角度θに対するＯＣマット反射初期値とし、ｆ（Ｘθ）を角度θに対する経年変化後に検知された受光レベルとすると、ｆ（Ｘθ）＝α・Ｘθ（但し、αは実数）を満たすこと、つまり写像ｆ（Ｘθ）が線形であることを指す。なお、逆に、Ｘθが角度θに対して経年変化後に検知された受光レベルを指し、ｆ（Ｘθ）が角度θに対するＯＣマット初期値を指すように捉えてもよい。より大局的に言うと、線形関係にある場合とは、θについての初期値の関数と経年変化後の関数が同様の変化傾向であることを指す。つまり、本発明では、両者の関数が同様の変化傾向であれば、正常動作ということで調整を行ってもよい（許可する）。無論、線形関係にあるか否かの判定にはある程度の誤差を許容して行うとよく、また、単に両者の値同士の比較により線形関係にあるか否かの判定を行ってもよい。
【００４９】
同様にして、光センサ１２ｂについての各角度での検知結果から、角度対初期値が示す関数と線形関係にある場合にのみ、光センサ１２ｂの発光レベルを調整する。光センサ１２ｃについても同様である。上記線形関係にあるか否かの判定は、光センサ１２ａ〜１２ｃの全てについて１度の開動作又は閉動作時に実行してもよい。
【００５０】
また、基本的に、全ての光センサ１２ａ〜１２ｃについて判定を同時に行った場合でも、光センサ毎に判定結果が異なることがあるため、光センサ毎に調整がなされることになるが、１つの光センサに調整を行う際には他の光センサについても（差異があまりなくても）、一義的に同様の調整を実行してもよい。
【００５１】
また、上述のように個々の光センサ１２ａ〜１２ｃについて判定を行って、線形関係にあった場合にのみ、その光センサについて調整を実行すればよい。これは、線形関係にあるということは少なくともその光センサについては、調整を行ってもよい状況（光量補正に適した状況）にあることを指しているためである。但し、本発明では、全ての光センサについて線形関係にある場合にのみ、調整を実行するようにしてもよい。
【００５２】
以上説明したように、本発明では、原稿カバーを動作（開閉の角度が例えば０度から９０度に変化して行く）させていく過程の中で発光素子からの光が原稿カバー１３のＯＣマット１４に反射された戻り光を検出し、その過程で検知された光センサ出力を、原稿無し状態で記録した初期値と対比する。本発明は、この対比により、両者が線形の関係であるか否か、つまり上記線形関係を満たすか否かにより、外乱光や誤って原稿が置かれていないか否かを検知する。そして、本発明では、原稿などが無く外乱光も無い正常な動作状態であれば、その光センサの発光レベルの調整（結果的に出力光量の調整になる）を行う。そして、上記線形関係を満たすことが検知された受光レベルのうち、ＯＣマット１４を利用して反射光を得ることができる角度の受光レベルに基づき、調整を行う。
【００５３】
本発明の原稿サイズ検知装置は、正常な動作状態で調整を行うため、光センサの経年劣化により外乱光やＯＣマット１４を原稿と誤って検知してしまうといった誤作動を防ぐことができ、また、ＯＣマット１４を利用して調整（例えば同一条件下での受光レベルを経年劣化によらず保つように調整）しているため、光センサの経年劣化により原稿が有っても光センサで検知できないといった誤作動も防ぐことができる。
【００５４】
また、調整部１７ｂは、初期値の記憶時から、若しくは初期値の記憶後に原稿サイズ検知装置の電源を投入した時から、所定期間経過後に、上記線形関係にあるか否かの判定を行うことが好ましい。これにより、上記判定を自動的に実行させ、その判定に基づき必要に応じて自動的に調整を実行することができるため、ユーザ操作による光量の校正が不要で、光センサの経年劣化による誤作動を未然に防止することが可能となる。上記所定期間は、発光素子の性能を鑑みて決定すればよく、所定期間も実際の年月の経過時間ではなく稼動時間を算出して代用してもよい。
【００５５】
若しくは、調整部１７ｂは、所定のユーザ操作を受け付けたときに、上記線形関係にあるか否かの判定を行うようにしてもよい。これにより、ユーザやメンテナンス業者が適宜、判定を実行させ、その判定に基づき必要に応じて自動的に調整し、光センサの経年劣化による誤作動を防止することができる。
【００５６】
このように原稿読取装置１では、所定期間経過をトリガとするか、ユーザ操作をトリガとするかに拘わらず、判定の結果、線形関係にある場合には基本的にその発光レベルの調整を実行すればよいが、線形関係であっても差異があまりなく近似している場合には調整する必要性があまりないため、調整は実行しなくてもよい。このように、調整自体も関数の差異についてのしきい値を決め、閾値処理により実行することもできる。このように、少なくともその光センサの発光レベルの調整は、線形関係にある場合にのみ実行可能としておけばよい。
【００５７】
＜原稿サイズ検知装置の回路構成例及び具体的な発光レベルの調整例＞
図３は、本発明に係る原稿サイズ検知装置の主要部の回路構成例を示すブロック図である。図３で例示する主要部２０は、図１で例示した原稿読取装置１に組み込まれるものである。
【００５８】
主要部２０は、第１のセンサブロックａ（２２ａ）、第２のセンサブロックｂ（２２ｂ）、第３のセンサブロックｃ（２２ｃ）、Ａ／Ｄ変換器２４、スイッチ２５、Ｄ／Ａ変換器２６、スイッチ２７、スイッチ１５及び角度検出センサ１６でなる角度検出部、初期値記憶部１８、並びにそれらを制御する制御部１７を備える。制御部１７は上述のようにサイズ判定部１７ａ及び調整部１７ｂを有する。
【００５９】
制御部１７のＲＯＭやＥＥＰＲＯＭ（登録商標）には、原稿サイズ判定に用いるパラメータとして、各サイズについて、原稿カバー１３と原稿台ガラス１１との角度に対する光センサ出力値（受光レベル）の基準値（上記所定のしきい値）のデータや、必要に応じてＯＣマット反射光値のデータが記録保持される。特に、原稿サイズ検知を行うと決めた角度については少なくとも保持しておく。その他に、制御部１７のＲＯＭやＥＥＰＲＯＭ（登録商標）には、線形関係の判定のためのパラメータや調整のためのパラメータなどを保持している。初期値記憶部１８は角度対初期値を保持するが、上記ＲＯＭやＥＥＰＲＯＭ（登録商標）に含む構成とすることができる。
【００６０】
センサブロック２２ａは、原稿サイズ検知用の光センサ（原稿サイズセンサａ）１２ａを有し、この光センサ１２ａは、ＬＥＤによる発光部とフォトトランジスタによる受光部とを有する。発光部での発光は、制御部１７から出力される発光パルス信号（光センサ１２ａの場合、発光出力ａ）により制御される。センサブロック２２ａは、さらに、ＬＥＤへの印加電圧を調整するために基準電圧を調整できる電圧変換器２８ａを有する。受光部は、受光した光によって流れた電流を電圧値に変換し、スイッチ２５に対してセンサ出力値（光センサ１２ａの場合、センサ出力ａ＝Ｒｉ）として出力する。
【００６１】
センサブロック２２ｂ，２２ｃは、それぞれ図１の光センサ１２ｂ，１２ｃを有し、センサブロック２２ａと同様の構成をもち、それぞれのセンサ出力値をスイッチ２５に出力する。
【００６２】
スイッチ２５は、入力した受光出力切替え信号に基づき、センサブロック２２ａ〜２２ｃの中から、使用する受光出力を選択するために設けられている。制御部１７は、そのスイッチ２５に受光出力切替え信号を出力することで、光センサ１２ａ〜１２ｃから出力されたセンサ出力を順次切り替えさせ、Ａ／Ｄ変換器２４に入力させる。
【００６３】
Ａ／Ｄ変換器２４は、スイッチ２５で選択された受光出力（選択したセンサブロック内の光センサのフォトトランジスタの出力）を、デジタル信号に変換して制御部１７に出力する。Ａ／Ｄ変換器２４は、複数の光センサ１２ａ〜１２ｃの出力値をデジタル値に変換するために共通に使用される。制御部１７では、Ａ／Ｄ変換器２４から入力したセンサ出力値を使用して、原稿サイズの検知処理や、上記線形関係の如何を判定するためのセンサ出力検知処理を実行する。
【００６４】
Ｄ／Ａ変換器２６は発光部の発光レベルの補正、つまり光量補正を行うために使用される。より具体的には、調整部１７ｂが初期値記憶部１８内の初期値（角度対初期値）が示す関数と現在の角度対受光レベル値が示す関数とを比較し、線形関係にあるか否かを判定する。そして、線形関係にある場合にのみ、調整部１７ｂはＤ／Ａ変換器２６にデジタルの光量補正信号を出力する。この光量補正信号は、一例として両者の差に応じて決定すればよく、より具体的には上述した係数αなどに応じて決定すればよい。
【００６５】
Ｄ／Ａ変換器２６は、調整部１７ｂから出力されたデジタルの光量補正信号を入力し、アナログ信号に変換し、電圧変換器２８ａに出力する。電圧変換器２８ａでは、その信号に基づきＬＥＤに印加する基準電圧を補正する。Ｄ／Ａ変換器２６は、複数のセンサブロック２２ａ〜２２ｃへの光量補正信号をアナログ信号に変換するために共通に使用される。スイッチ２７は、制御部１７の調整部１７ｂからの補正（調整）対象切替え信号に基づき、センサブロック２２ａ〜２２ｃの中から調整するＬＥＤを含むセンサブロックを選択する。
【００６６】
ここで、基本的に、光センサ１２ａ〜１２ｃの発光レベルは出荷当初（初期値を記憶する段階で）、最大値をとるようにせず、経年変化による発光レベルの増加方向の調整に対応できるように余裕をもって決めておく。また、発光レベルの変更は、上述のように基準電圧を補正することによりＬＥＤに流す電流を変更することで行えばよいが、回路構成を変更することでＰＷＭ調光により発光パルス信号のＯＮデューティを変更することで平均的な発光レベルを変更することもできる。いずれの変更も、基本的に、経年変化に対して大きくする方向に光量が調整されることになる。
【００６７】
図４に示すフロー図を参照しながら、本発明に係る原稿サイズ検知装置における発光レベル調整処理の一例について説明する。
上述のように、所定期間の経過又は所定のユーザ操作の受付をトリガとし、そのトリガが有効な状態において初めて原稿カバー１３が閉状態から開状態になったことをスイッチ１５が検出したときに、制御部１７の調整部１７ｂが主となって次の処理を実行する。
【００６８】
まず、ｎを１とし（ステップＳ１）、ｎ番目の光センサで受光する（ステップＳ２）。ステップＳ２では、０°〜Ｘ°まで所定ピッチで受光する。ここで、Ｘは予め０°〜９０°の間のいずれかに決めておけばよい。
【００６９】
次に、受光した値を初期値記憶部１８に記憶された原稿無し状態での（つまりＯＣマット１４による反射光での）初期値と比較する（ステップＳ３）。この例では、比較対象の初期値も同じ範囲の同じ所定ピッチで保持されているものとする。ステップＳ３では、結果的に両者の関数が線形関係にあるか否かが比較できればよい。
【００７０】
一方が他方に対して線形関係にある場合（ステップＳ４でＹＥＳの場合）、ＯＣマット１４を利用した角度の検知結果を用いて、そのｎ番目の光センサについて、光量の補正、つまり発光レベルの調整を行う（ステップＳ５）。ステップＳ５の処理後、次の光センサについての処理のために、ｎをインクリメントする（ステップＳ６）。一方、ステップＳ４でＮＯであった場合、つまり上記線形関係を満たさない場合には、ステップＳ５の処理を経ず、つまりｎ番目の光センサについては光量補正を行わずに、そのままステップＳ６へ進む。
【００７１】
ステップＳ６の処理後、ｎが４より大きくなったか否か、つまり３番目の光センサまで処理が終了したか否かを判定し（ステップＳ７）、ＮＯであればステップＳ２へ戻り、ＹＥＳであれば処理を終了する。
【００７２】
このような処理の具体例について、図５を参照しながら説明する。図５は、本発明に係る原稿サイズ検知装置における、原稿カバーの角度に対する光センサの出力の例を示す図である。図５では、グラフの上側に原稿カバー１３と原稿台ガラス１１との角度の開き具合を模式的に示している。
【００７３】
初期値としては、例えば図５の実線で示す関数（但し、外乱光無し）に該当するようなデータが初期値記憶部１８に記憶されているとすると、一点鎖線で示す関数のように、線形関係にある場合、光量補正が実行される。これは、外乱光がない場合のＯＣマット１４の角度に対するＯＣマット１４の反射値（初期値）は、発光部が経年劣化した場合の反射値と線形の関係にあることを利用している。そして、この場合に光量補正をしないままにした場合、上記所定のしきい値を超えることが少なくなる。図５の例では白原稿を置いた場合でもしきい値と一致する程度になってしまい、原稿が検知できない。
【００７４】
比較のために、図５では、外乱光有りの場合の初期値の関数についても図示している。この関数は、５°〜４５°といった原稿サイズ判定を実際に実行するのに適した原稿カバー１３（ＯＣマット１４）の角度より大きくなると、外乱光無しの場合と異なる関数になる。つまり、外乱光有りの場合には、原稿カバー１３の開動作時のセンサ値が大きく、原稿カバー１３が閉状態に近くなると急にセンサ値が小さくなり、上記適した角度より小さくなって初めて外乱光無しの場合とほぼ一致してくる。
【００７５】
なお、原稿カバー１３の閉動作又は開動作時において、５°〜４５°の間で原稿サイズ検知が行われる。その理由は、原稿カバー１３が４５°以上では外乱光の影響を受け易く、５°未満ではＯＣマット１４からの反射の影響を受け易いからである。そして、基本的にはこのような角度の間のうちの１点で原稿検知を行えば済む。
【００７６】
上記線形関係を満たさない場合には、「原稿が原稿台ガラス１１に載置されていないという判定」ができない場合であるため、光量補正はなされない。例えば、（１）外乱光がある場合で、且つ原稿カバー１３の角度（開角度）が大きいときには、検知結果は外乱光有りの初期値について図５で示した形のようになり、記憶された外乱光無しの初期値と線形関係を満たさないような変化をもった関数を示すことになる。
【００７７】
また、（２）開動作又は閉動作の途中で白原稿又は黒原稿が置かれた場合には、白原稿又は黒原稿が置かれた角度より後については線形関係を満たさないような関数を示す。また、（３）開動作又は閉動作の途中で、検知してはいけないサイズ（隣の光センサで検出すべきサイズなど）の原稿の端を検知した場合には、原稿を検知した角度より後については線形関係を満たさないような関数を示す。上記（２），（３）については、原稿が載置された段階で図５の一点鎖線が図５の直線と異なる変曲点が存在するように変わってしまうことになる。
【００７８】
次に、発光レベルの調整について、具体例を挙げる。上述したように、上記線形関係を満たすことが検知された受光レベルのうち、原稿カバー１３の開閉動作でのＯＣマット１４を利用して反射光を得ることができる角度の受光レベルに基づき、同一条件下での受光レベルを経年劣化によらず保つように発光レベルを調整すれば、上記所定のしきい値を変えずとも同様の原稿サイズ判定ができる。
【００７９】
一方で、特許文献１に記載の技術では、発光素子の劣化に対してスレッシュを一点（原稿カバーの開閉位置のある点）での受光レベルの値を確認し、その結果に基づき補正を行うため、上記所定のしきい値を経年劣化とともに自動で低下させることになる。本発明では、しきい値を経年劣化とともに自動で低下させる特許文献１に記載の方式に比べ、ＯＤ値の高い黒原稿が置かれたとしても誤って補正をかけることがないし、検知してはいけないサイズの原稿端を検知したとしても誤って補正をかけることがないし、外乱光に対するマージンを維持することができる。
【００８０】
同一条件下での受光レベルを経年劣化によらず保つような調整の例を挙げる。
調整部１７ｂは、調整の結果として、ＯＣマット１４と原稿台ガラス１１との角度が所定角度のときに検知された反射光の受光レベルが、上記所定角度に対する初期値と一致するように、その光センサの発光レベルを調整すればよい。この調整は、受光レベルをフィードバックさせながら行ってもよいし、比較対象の差に基づき予め保持しておいた予測値を用いてもよい。
【００８１】
ここで、上記所定角度としては、５°〜４５°の間のいずれかで例示したような原稿サイズ検知を行う角度を採用することが好ましい。つまり、上記所定角度は、ＯＣマット１４と原稿台ガラス１１との隙間から蛍光灯等の外光が或る程度入り且つ光センサの受光素子への外光の影響が少ないような角度で、例えば１０°、２０°、３０°、４５°など適宜設定すればよい。これにより、実際の原稿サイズの判定を行う際の発光レベルを合わせることができるため、２つの値を合わせるように光量を上げるという簡単な補正で且つ正確な原稿サイズ判定が可能な光量調整が可能になる。
【００８２】
なお、上記所定のしきい値は、黒原稿を載置して黒原稿からの反射光として検出した受光レベル（センサ出力値Ａ）と、ＯＣマット１４が所定角度のときにそのＯＣマット１４からの反射光として検出した受光レベル（センサ出力値Ｂ）との間に、特にそれらの中間値（中央値）に設定されることが好ましい。例えば、図８の初期出力関係として例示したように、黒色原稿有りのときの出力電圧値が１．３Ｖ、所定角度をもつＯＣマット１４からの初期の反射光による出力電圧値が０．５Ｖとすると、しきい値の初期値の最適値（中央値）は０．９Ｖとなる。また、上記所定角度は、ＯＣマット１４が周方向に可動する際に他の可動角度領域に比べて可動させ難くした可動角度範囲を設け、その範囲に含まれる角度と合わせるなどしてもよい。
【００８３】
代替案として、大局的に見て元の関係に最も近づくような調整を行ってもよい。そのため、例えば、上記所定角度が複数であると捉え、調整部１７ｂは、調整の結果として、複数の所定角度についての受光レベルとその初期値との差の二乗和が最小になるように、その光センサの発光レベルを調整するなどすればよい。すなわち、ＯＣマット１４と原稿台ガラス１１との角度が複数の所定角度のときに検知された反射光の受光レベルと、それら複数の所定角度のそれぞれに対する初期値との差の二乗和が最小になるように、その光センサの発光レベルを調整するなどすればよい。この調整も、受光レベルをフィードバックさせながら行ってもよいし、係数αに対して予め保持しておいた予測値を用いるなどしてもよい。
【００８４】
より簡単な具体例を挙げると、２０°についての受光レベルとその初期値との差の二乗と、３０°についての受光レベルとその初期値との差の二乗と、４５°についての受光レベルとその初期値との差の二乗との和が、最小になるような発光レベルを選択すればよい。このような調整も、同一条件下での受光レベルを経年劣化によらず保つような調整である。
【００８５】
次に、ステップＳ２，Ｓ３におけるＸで規定される角度の範囲について好ましい例を説明する。
【００８６】
上述した図５で例示したように、外乱光有りの場合の初期値の関数は、原稿サイズ判定を実際に実行するのに適した開角度（５°〜４５°）より大きくなると、外乱光無しの場合と異なる関数になる。従って、調整部１７ｂは、ＯＣマット１４と原稿台ガラス１１との角度が４５°以下の場合についての検知結果のみに基づいて、その光センサの発光レベルを調整することが好ましい。この４５°以下の検知結果のみに基づいた調整は、ＯＣマット１４を利用した調整に該当する。これにより、外乱光に対して影響を受けなくなり、仮に蛍光灯の真下に原稿読取装置が置かれたとしても、光量補正を行えるようになり、外乱光の影響を無くした調整を行うことができる。
【００８７】
また、調整部１７ｂは、ＯＣマット１４と原稿台ガラス１１との角度が４５°以下の場合についての検知結果のみに基づいて、上記線形関係にあるか否かの判定を行うようにしてもよい。この場合、調整を行うことは上記線形関係にあった場合であるため、次のいずれかのような処理が適用できる。第一の処理は、上記線形関係にあるか否かの判定だけは４５°以下の場合についての検知結果のみについて実行し、実際の調整はそれ以外の検知結果も併せて参照しながら実行する。若しくは、判定及び調整のいずれの処理も４５°以下の検知結果のみに基づいて実行するといった第二の処理を採用してもよい。
【００８８】
＜しきい値の設定例１＞
以上の説明では、発光レベルの調整は同一条件下での受光レベルを保つように実行することを前提にした。また、本発明に係る原稿サイズ検知装置は、複数の光センサ１２ａ〜１２ｃそれぞれに対応する複数のしきい値（この例では合計３つのしきい値）が固定値であることを前提として説明した。しかし、そのような調整しなくても、同時に上記所定のしきい値も連動させて変えることで、光センサの経年劣化による誤動作を防ぐことができる。このしきい値の調整は、ＯＣマット１４と原稿台ガラス１１との角度が上記所定角度のときに、ＯＣマット１４を用いて行うことになる。
【００８９】
＜しきい値の設定例２＞
これら複数のしきい値を調整する他の方法として、特許文献１と同様に、上記発光レベルの調整と連動させずに、ＯＣマット１４と原稿台ガラス１１との角度が上記所定角度のときに、ＯＣマット１４を用いて、複数のしきい値のうちの一部又は全部に対する調整を実行してもよい。但し、本発明に係る原稿サイズ検知装置では、経年変化に対応するために、ある程度、使用期間が経過した場合には、しきい値を元の値に戻してから発光レベルの調整を行うようにすればよい。そして、上記使用期間が再び経過するまでは上記しきい値調整部でのしきい値調整を行い、経過したときに同様に発光レベルの調整を行うようにすればよい。
【００９０】
＜原稿有無検知用の光センサの他の配置例＞
図６は、本発明の原稿読取装置における光センサの他の配置例を示す上面図である。原稿有無検知用の光センサの配置例としては図６のような配置も採用できる。すなわち、原稿台ガラス１１上の位置合わせ用の原点（ここでは図６の左上）に対し、Ａ５サイズ以上の縦置き原稿及びＡ４Ｒ以上の横置き原稿で塞がれるセンサａ、Ｂ５サイズ以上の縦置き原稿及びＢ４以上の横置き原稿で塞がれるセンサｂ、Ａ４サイズ以上の縦置き原稿及びＡ３以上の横置き原稿で塞がれるセンサｃを、図６のように配置する。また、Ａ５Ｒサイズ以上の横置き原稿及びＡ４以上の縦置き原稿で塞がれるセンサｄを図６のように配置する。さらに、縦置きとしては原稿Ａ４より大きい原稿に対する横置き用のセンサ群として、Ｂ５Ｒサイズ以上の横置き原稿で塞がれるセンサｅ、Ａ４Ｒサイズ以上の横置き原稿で塞がれるセンサｆ、Ｂ４サイズ以上の横置き原稿で塞がれるセンサｇ、Ａ３サイズ以上の横置き原稿で塞がれるセンサｈを、図６のように配置する。
【００９１】
これらのセンサ群の検知結果の組み合わせにより、例えば、原稿Ｐを載置した結果、センサａで検出有り且つセンサｂで検出無しであった場合、Ａ５サイズ又はＡ４Ｒサイズと判定できる。併せて、センサｆで検出有りであった場合にＡ４Ｒサイズと判定でき、検出無しであった場合にＡ５サイズと判定できる。図１で例示したように簡単な横置きの原稿対応の例のみを説明したが、このように原稿有無検知用の光センサの配置例は様々なものが適用できる。
【００９２】
＜原稿読取装置の組み込み例＞
上述した各実施形態に係る原稿サイズ検知装置を備えた原稿読取装置を組み込んだ画像形成装置の一例として、図７にその断面図を示す。図７で例示する画像形成装置は、大きく分けて、本発明に係る原稿読取装置に相当する画像読取部１００と、画像形成部、給紙部、及び後処理装置から構成されている。
【００９３】
図７に示すように、画像読取部１００は、透明の原稿載置台（原稿台ガラス）１１１と、原稿台ガラス１１１上に載置された原稿の画像を走査して読み取るための原稿画像読み取りユニット、すなわちスキャナユニット１１０と、ＯＣマット１１４が付加された原稿カバー１１３と、原稿台ガラス１１１上へ自動的に原稿を供給するための両面対応自動原稿送り装置（ＲＡＤＦ）１２０とから構成されている。ＲＡＤＦ１２０は、原稿カバー１１３に取り付けられている。また、ＯＣマット１１４は、ＲＡＤＦ１２０用にベルト式に回転できるように設けられている。
【００９４】
スキャナユニット１１０は、原稿面上を露光するランプリフレクタアセンブリと、原稿からの反射光像を電気的画像信号に変換する光電変換素子（ＣＣＤ）１２４に導くための第１反射ミラーを搭載した第１走査ユニット１２１と、第２，第３反射ミラーを搭載した第２走査ユニット１２２と、反射光像をＣＣＤ１２４上に結像するための光学レンズ体１２３とから構成される。第１走査ユニット１２１は原稿台ガラス１１１に沿って左から右へ一定速度Ｖで走行し、第２走査ユニット１２２はＶ／２の速度で同一方向に走行するように走査制御される。
【００９５】
これにより、画像読取部１００では、ＲＡＤＦ１２０とスキャナユニット１１０の関連した動作によって、原稿台ガラス１１１上に読み取るべき原稿を順次載置させながら、原稿台ガラス１１１の下面に沿ってスキャナユニット１１０を移動させて、原稿台ガラス１１１上に載置された原稿の画像を１ライン毎に順次ＣＣＤ１２４に結像させて、原稿画像を読み取る。また、読取対象の原稿は、原稿カバー１１３を開けて原稿台ガラス１１１に載置することも可能となっている。
【００９６】
本発明に係る原稿サイズ検知装置は、光センサ１２ａ〜１２ｃに相当する光センサ１１２ａ〜１１２ｃ、スイッチ１５に相当するスイッチ１１５、角度検出センサ１６に相当する角度検出センサ１１６、並びにそれらを制御する制御部１７に相当する制御部（図示せず）として、画像読取部１００に搭載されている。そして、原稿台ガラス１１１の下面に沿ってスキャナユニット１１０を移動させる前などに、光センサ１１２ａ〜１１２ｃによって原稿有無が検知され、原稿サイズが判定できる。判定された原稿サイズに基づき、スキャナユニット１１０の移動範囲を限定したり、また読み取った画像データの変倍処理などが実行される。
【００９７】
また、原稿画像をスキャナユニット１１０で読み取ることにより得られた画像データは、各種処理が施された後、図示しないメモリに一旦記憶され、出力指示に応じてメモリから画像データを画像形成部に出力して、感光体ドラム１４２上に可視画像として再現した後、用紙上に画像を転写してトナー像を形成する。
【００９８】
この画像形成部は、レーザ書き込みユニット（ＬＳＵ）１４１及び画像を形成するための電子写真プロセス部１４０を備えている。ＬＳＵ１４１は、メモリから読み出した画像データ又はＰＣ等の外部機器から転送されてきた画像データに応じてレーザ光を出射する半導体レーザ、レーザ光を等角速度偏向するポリゴンミラー、等角速度偏向されたレーザ光が電子写真プロセス部１４０の感光体ドラム１４２上を等速度で走査するように補正するｆ−θレンズ等を有している。
【００９９】
電子写真プロセス部１４０は、周知の態様に従い、感光体ドラム１４２の周囲に帯電装置１４３、現像装置１４４、転写装置１４５、剥離装置１４６、クリーニング装置１４７、除電装置を配置し、さらに感光体ドラム１４２の下流側に定着装置１４８を配置して構成される。
【０１００】
給紙部は、第１〜３カセット１３１〜１３３、手差しトレイ１３５、及び大容量カセット１３４を有している。第１カセット１３１は、第１のトレイ及び第２のトレイを収容するタンデムトレイで、両トレイを装置本体から同時に引き出し可能となっている。第２カセット１３２，第３カセット１３３は、それぞれ第３のトレイ、第４のトレイを収容する。大容量カセット１３４は第５のトレイである。給紙搬送部１３６，１３７は、給紙部から感光体ドラム１４２と転写装置１４５との間の転写位置に用紙を搬送するために、給紙ローラ、搬送ローラ、レジストローラを備えている。これらの５つのトレイには、用紙がサイズ毎に積載されて収容されており、使用者が所望するサイズの用紙が収容されているカセット或いはトレイを選択すると、そのトレイ内の用紙束の上から１枚ずつ送り出され、給紙搬送部１３６，１３７の搬送経路を経由して順次電子写真プロセス部１４０へ向けて搬送される。
【０１０１】
定着装置１４８より用紙搬送方向下流側には、用紙排出路１４９が設けられており、この用紙排出路１４９は後処理装置の排紙搬送路１５１と、両面複写のための再給紙搬送部１５０とに分岐している。
【０１０２】
ＬＳＵ１４１及び電子写真プロセス部１４０において、メモリから読み出された画像データは、ＬＳＵ１４１によってレーザ光線を走査させることにより感光体ドラム１４２の表面上に静電潜像として形成され、現像装置１４４のトナーにより可視像化されたトナー像は給紙部から搬送された用紙の表面上に転写装置１４５により静電転写され、定着装置１４８によって定着される。
【０１０３】
このようにして画像が形成された用紙は定着装置１４８から後処理装置へ送られ、或いは両面複写のための再給紙搬送部１５０へと選択的に搬送される。後処理装置に送られた用紙は、必要に応じてソート或いはステープル処理等の所定の処理が施され、第１排出卜レイ１５３又は第２排出卜レイ１５４にスタックされる。また、両面複写の再給紙搬送部１５０に送られた用紙は、ここで反転され再び電子写真プロセス部１４０に搬送されて、用紙の裏面に画像が形成され、定着後排出される。
【０１０４】
後処理装置は、第１排出卜レイ１５３と第２排出卜レイ１５４が備えられている。第２排出卜レイ１５４は、画像形成部から排出された画像の形成されたシートを、後処理装置の側面上部に設けられた受け取り排紙搬送路１５１によって受け取り、シートがそのままの状態で排出される排出部である。第１排出卜レイ１５３は、ステープル，パンチ等選択的に装着される後処理手段１５２により後処理が成されたシートが排出される排出部である。後処理装置において、画像の形成されたシートは、使用者によって選択された第１排出卜レイ１５３又は第２排出卜レイ１５４から排出されるよう構成されている。
【０１０５】
図７で例示する画像形成装置は両面印刷に対応しており、そのための構成について以下に説明する。画像が記録されたシートは、定着装置１４８を経て搬送ローラ１５５によりさらに上方搬送され、切換えゲート１５９を通過する。そして、シートの排出トレイが画像形成部の外装に備えられた積載トレイ１５７に設定されている場合は、反転ローラ１５６により積載トレイ１５７に排出される。一方、両面画像形成や後処理が指定されている場合には、一旦反転ローラ１５６により積載トレイ１５７に向けてシートを排出する。なお、この場合には、シートを完全に排出せず、シートを挟持させたまま反転ローラ１５６を逆転させる。そして、上記シートを逆方向、つまり両面画像形成や後処理のために選択的に装着されている再給紙搬送部１５０や後処理装置の装着されている方向に、反転搬送する。
【０１０６】
このとき、切換えゲート１５９は、図の実線の状態（上向き）から破線の状態（下向き）に切換えられる。両面画像形成を行なう場合は、反転搬送されたシートは、別の切換えゲート１５８が上向き（破線）の状態で、再給紙搬送部１５０を通り、再び画像形成部に供給される。一方、後処理が成される場合は、再給紙搬送部１５０から別の切換えゲート１５８が下向き(実線)の状態で、後処理装置に搬送され、後処理が成されるようになっている。
【符号の説明】
【０１０７】
１…原稿読取装置、１０…筐体、１１…原稿台ガラス、１２ａ，１２ｂ，１２ｃ…原稿有無検知用の光センサ、１３…原稿カバー、１４…ＯＣマット、１５…スイッチ、１６…角度検出センサ、１７…制御部、１７ａ…サイズ判定部、１７ｂ…調整部、１８…初期値記憶部。
【図１】
0005676188.tif 000002
【図２】
0005676188.tif 000003
【図３】
0005676188.tif 000004
【図４】
0005676188.tif 000005
【図５】
0005676188.tif 000006
【図６】
0005676188.tif 000007
【図７】
0005676188.tif 000008
【図８】
0005676188.tif 000009